(57)【要約】【課題】冷却風の最適な通風路を確保し、機内の冷却性能を向上させるブラシレス励磁装置を備えた同期機を提供する。【解決手段】同期機１の回転軸４上に交流励磁機７の回転電機子コイル７ａおよび回転整流器Ａ８を設置し、交流励磁機の回転電機子コイルで発生した交流起電力を前記回転整流器により直流電力に変換し同期機の界磁回路５ｂに直流励磁電流を供給するブラシレス励磁装置を備えた同期機において、回転整流器Ａ８を同期機１の回転軸４の外周面に直付けしたモジュール型整流器Ａ８２Ｕ、Ａ８２Ｖ、Ａ８２で構成することにより、冷却風の最適な通風路を確保して機内の冷却性能を向上させることを可能とした。【選択図】図１
2010098789.tif 000002
【特許請求の範囲】
【請求項１】
同期機の回転軸上に交流励磁機の回転電機子コイルおよび回転整流器を設置し、交流励磁機の回転電機子コイルで発生した交流起電力を前記回転整流器により直流電力に変換し同期機の界磁回路に直流励磁電流を供給するブラシレス励磁装置を備えた同期機において、
整流素子を各相単位でモジュール化して構成されたモジュール型整流器を前記交流励磁機の回転電機子コイルと同期機の界磁コイルとの間の回転軸に取り付けて前記回転整流器を構成したことを特徴とするブラシレス励磁装置を備えた同期機。
【請求項２】
前記モジュール型整流器は、同期機の回転軸上に直付けされていることを特徴とする請求項１記載のブラシレス励磁装置を備えた同期機。
【請求項３】
前記モジュール型整流器は、ブリッジ形多相整流回路における同一相の正極側整流素子および負極側整流素子を組み合わせて１つの単位としてモジュール化したものであり、１つの交流入力端子と、正負の直流出力端子とを備えたことを特徴とする請求項１または２に記載のブラシレス励磁装置を備えた同期機。
【請求項４】
前記モジュール型整流器は、三相半波整流回路を構成するために交流励磁機の回転電機子コイルの各相に接続される整流素子をモジュール化したものであることを特徴とする請求項１または２に記載のブラシレス励磁装置を備えた同期機。
【請求項５】
各相分の前記モジュール型整流器を、前記回転軸の円周方向に適宜間隔をあけて並置したことを特徴とする請求項３または４記載のブラシレス励磁装置を備えた同期機。
【請求項６】
各相分の前記モジュール型整流器を、前記回転軸の軸方向に適宜間隔をあけてしかも、軸方向に対して直角の向きに取り付けたことを特徴とする請求項３または４記載のブラシレス励磁装置を備えた同期機。
【請求項７】
前記各モジュール型整流器の出力側の同極性端子同士を短絡板で接続することを特徴とする請求項３または４記載のブラシレス励磁装置を備えた同期機。
【請求項８】
前記短絡板を、前記回転軸の周面に沿う形状の平板で構成したことを特徴とする請求項７記載のブラシレス励磁装置を備えた同期機。
【請求項９】
前記短絡板を円環状に形成し、かつ、取り付け脚を介して前記各相のモジュール型整流器に接続することを特徴とする請求項７記載のブラシレス励磁装置を備えた同期機。
【請求項１０】
前記各相のモジュール型整流器を、前記回転軸の軸方向に適宜間隔をあけてしかも軸方向に対して傾斜させて回転軸に直付けすることを特徴とする請求項３または４記載のブラシレス励磁装置を備えた同期機。
【発明の詳細な説明】
【技術分野】
【０００１】
本発明は、ブラシレス励磁装置を備えた同期機に係り、特に回転整流器を改良したブラシレス励磁装置を備えた同期機に関する。
【背景技術】
【０００２】
同期電動機や同期発電機等の同期機の励磁方式の一つとして、ブラシレス励磁方式がある。このブラシレス励磁方式は、同期機の回転軸上に交流励磁機の回転電機子に巻装された電機子コイルおよび回転整流器を設置し、交流励磁機の回転電機子コイルで発生した交流起電力を回転整流器により直流電力に変換して同期機の界磁回路に直流励磁電流を供給するようにした励磁方式である。
【０００３】
以下、従来のブラシレス励磁装置を備えた同期機について、図面を参照して説明する。
図７は、従来のブラシレス励磁装置を備えた同期機の上部半裁図である。  
図７において、１は同期電動機や同期発電機等の同期機（主機）であり、固定子枠２に固定された円環状の固定子鉄心３ａおよびこの固定子鉄心３ａに固定子コイル３ｂを巻装してなる固定子３と、回転軸４に嵌合固定されて固定子鉄心３ａの穴内を回転自在に配置され突極形界磁鉄心５ａおよびこの突極形界磁鉄心５ａに界磁コイル５ｂを巻装してなる回転子５とから構成されている。
【０００４】
６はブラシレス励磁装置であり、同期機１の回転子軸４上に設置された回転電機子コイル７ａおよび固定子枠２に固定された界磁極７ｂとからなる交流励磁機７と、回転子軸４上にあって主機の回転子５および交流励磁機７間に設置されて回転電機子コイル７ａの交流起電力を直流に変換して出力し、主機１の界磁コイル５ｂに励磁電流を供給する回転整流器８とから構成されている。
【０００５】
そして、ブラシレス励磁装置を備えた同期機１は、さらに、回転軸４の交流励磁機７側の軸端部を回転自在に支持する軸受装置９と、この回転軸４の他端部に嵌合固定され、遠心ファン１０を取り付けたファンボスを兼ねるカップリング用フランジ１１と、を備えている。
【０００６】
前述した回転整流器８は、特許文献１等で開示されているものと同等であるが、図８の方がより詳しいので、以下図８を参照して説明する。  
図８は従来の回転整流器８の拡大斜視図であり、図９はブラシレス励磁装置６の回路図である。
【０００７】
図８および図９において、８１は回転軸４上に嵌合固定された整流子胴であり、この整流子胴８１は、その外周に三相交流各相（Ｕ、Ｖ、Ｗ）の整流素子８２Ｕ、８２Ｖおよび８２Ｗの固定部および出力短絡回路を兼用した円板状に形成された導電性の整流器フランジ８３を設けている。
【０００８】
しかも、この整流器フランジ８３は、各相の整流素子８２Ｕ、８２Ｖおよび８２Ｗに隣接する位置にスタッド８４Ｕ、８４Ｖおよび８４Ｗの他に、スタッド８４Ｋおよび８４Ｊを取り付けている。スタッド８４Ｕ、８４Ｖおよび８４Ｗは、交流励磁機７の回転電機子コイル７ａの各相（Ｕ、Ｖ、Ｗ）端子に接続される引き出し線８５Ｕ、８５Ｖおよび８５Ｗと、各相の整流素子８２Ｕ、８２Ｖおよび８２Ｗのアノード側とを接続するスタッドであり、整流器フランジ８１と導通することがないように、それぞれ絶縁ブッシング等を介してボルトによって締結されている。なお、各相の整流素子８２Ｕ、８２Ｖおよび８２Ｗと、スタッド８４Ｕ、８４Ｖおよび８４Ｗ間の接続関係は図９の回路図で明記したので、図８では煩雑化を避けるために接続線を敢えて省いてある。
【０００９】
一方、スタッド８４Ｋは、交流励磁機の回転電機子コイル７ａの中性点Ｏに接続される引き出し線８５Ｏと主機１の界磁コイル５ｂのマイナス端子Ｋ（−）に接続された接続線８５Ｋとを接続するものであり、スタッド８５Ｊは、導電性の整流器フランジ８１と界磁コイル５ｂのプラス端子Ｊ（＋）に接続された引き出し線８５Ｊとを接続するものである。
【００１０】
そして、交流励磁機７の回転電機子コイル７ａと整流器フランジ８１間の引き出し線８５Ｕ、８５Ｖ、８５Ｗおよび８５Ｏ、整流器フランジ８１と界磁コイル５ｂ間の引き出し線８５Ｊおよび８５Ｋはそれぞれ熱硬化性または常温硬化性のレジンを含浸したガラステープ（またはガラス糸）１２、１３によって回転軸４に緊縛固定されている。
【００１１】
このように構成されたブラシレス励磁装置を備えた同期機の冷却は、交流励磁機７の反対側のカップリング用フランジ１１に設けられた遠心ファン１０の回転によって、交流励磁機７側の吸気口１４から吸い込まれた冷却風が矢印の如く固定子枠２内を流れ、排気口１５から排出されることによって行われる。
【特許文献１】特開２００３-３７９６２号公報
【発明の開示】
【発明が解決しようとする課題】
【００１２】
上記した従来の回転整流器を設置した同期機の場合、円板状の整流器フランジ８３が一種の仕切り板となって吸気口１４から回転子５側へ通じる冷却通風路を狭めるため、回転子５の突極形界磁鉄心５ａおよび界磁コイル５ｂの冷却性能が低下して温度上昇を起こすだけではなく、固定子３の固定子鉄心３ａおよび固定子コイル３ｂの冷却性能も低下し、温度上昇を起こす可能性があった。
【００１３】
そこで本発明は、上記した事情に鑑みて、冷却通風路を狭める円板状の整流器フランジを排除し、これに代わってモジュール型整流器を回転軸に取り付けることにより十分な冷却通風路を確保して、機内の冷却性能を向上させるブラシレス励磁装置を備えた同期機を提供することを目的とするものである。
【課題を解決するための手段】
【００１４】
上記の目的を達成するために、請求項１記載の発明は、同期機の回転軸上に交流励磁機の回転電機子コイルおよび回転整流器を設置し、交流励磁機の回転電機子コイルで発生した交流起電力を前記回転整流器により直流電力に変換し同期機の界磁回路に直流励磁電流を供給するブラシレス励磁装置を備えた同期機において、整流素子を各相単位でモジュール化して構成されたモジュール型整流器を前記交流励磁機の回転電機子コイルと同期機の界磁コイルとの間の回転軸に取り付けて前記回転整流器を構成したことを特徴とする。
【００１５】
また、請求項２記載の発明は、請求項１において、前記モジュール型整流器が同期機の回転軸上に直付けされていることを特徴とする。
【００１６】
また、請求項３記載の発明は、請求項１または２において、前記モジュール型整流器は、ブリッジ形多相整流回路における同一相の正極側整流素子および負極側整流素子を組み合わせて１つの単位としてモジュール化したものであり、１つの交流入力端子と、正負の直流出力端子とを備えたことを特徴とする。
【００１７】
また、請求項４記載の発明は、請求項１または２において、前記モジュール型整流器は、三相半波整流回路を構成するために交流励磁機の回転電機子コイルの各相に接続される整流素子をモジュール化したものであることを特徴とする。
【００１８】
また、請求項５記載の発明は、請求項３または４において、各相分の前記モジュール型整流器を、前記回転軸の円周方向に適宜間隔をあけて並置したことを特徴とする。
【００１９】
また、請求項６記載の発明は、請求項３または４において、各相分の前記モジュール型整流器を、前記回転軸の軸方向に適宜間隔をあけてしかも、軸方向に対して直角の向きに取り付けたことを特徴とする。
【００２０】
また、請求項７記載の発明は、請求項３または４において、前記各モジュール型整流器の出力側の同極性端子同士を短絡板で接続することを特徴とする。
【００２１】
また、請求項８記載の発明は、請求項７において、前記短絡板を、前記回転軸の周面に沿う形状の平板で構成したことを特徴とする。
【００２２】
また、請求項９記載の発明は、請求項７において、前記短絡板を円環状に形成し、かつ、取り付け脚を介して前記各相のモジュール型整流器に接続することを特徴とする。
【００２３】
また、請求項１０記載の発明は、請求項３または４において、各相分の前記モジュール型整流器を、前記回転軸の軸方向に適宜間隔をあけてしかも軸方向に対して傾斜させて回転軸に直付けすることを特徴とする。
【発明の効果】
【００２４】
本発明によれば、モジュール型整流器を回転軸に取り付けることにより十分な冷却通風路を確保し、機内の冷却性能を向上させる回転電機の整流器構造を提供することができる。
【発明を実施するための最良の形態】
【００２５】
以下、本発明の実施形態について図面を参照して説明する。なお、図面の各図を通して共通する部分には同一符号を付けることにより、重複する説明は適宜省略する。
【００２６】
（第１の実施形態）
図１は本発明の第１の実施形態によるブラシレス励磁装置を備えた同期機を示す図であり、特に図１（ａ）はブラシレス励磁装置を備えた同期機の全体構成の上部半裁図、図１（ｂ）は回転整流器の拡大図である。また、図２（ａ）および（ｂ）は回転軸に回転整流器を構成するモジュール型整流器の取り付け状態および各モジュール型整流器間の接続状態を示す拡大図である。さらに図３はモジュール型整流器相互間の接続状態を示す回路図である。
【００２７】
本実施形態は、従来例と比べてブラシレス励磁装置６の回転整流器８をＡ８に置換したもので、他の部分は同じなので以下、回転整流器Ａ８を中心に説明する。  
図１（ａ）、（ｂ）、図２（ａ）、（ｂ）および図３において、本実施形態による回転整流器Ａ８は、回転軸４に対して、その円周方向に適宜間隔をあけて三相交流各相（Ｕ、Ｖ、Ｗ）に対応するモジュール型整流器Ａ８２Ｕ、Ａ８２Ｖ、Ａ８２Ｗを並置して直付けしている。なお、回転軸４の周面は、モジュール型整流器Ａ８２Ｕ、Ａ８２Ｖ、Ａ８２Ｗを直付けするために適宜面取り加工されている。また、モジュール型整流器Ａ８２Ｕ、Ａ８２Ｖ、Ａ８２Ｗの設置個数は、励磁回路の電流容量に応じて定まるもので、各相毎に２個、３個といったように並列接続する場合もあるが、本実施形態の場合は各相に１個の割合で設置している。
【００２８】
ところで、ここでいうモジュール型整流器Ａ８２Ｕ、Ａ８２Ｖ、Ａ８２Ｗとは、図３の回路図に表したような、「ブリッジ形三相整流回路における同一相の正極側アーム（整流素子）と、負極側アーム（整流素子）とを組み合わせて１つの単位としてモジュール化したもの」と定義する。例えば、Ｕ相に用いるモジュール型整流器Ａ８２Ｕは、正極側アーム（整流素子）Ｕ１と、負極側アーム（整流素子）Ｕ２とを直線状に配置し、かつ入出力端子が直線状に並ぶようにして、１つにパッケージ化したものである。Ｖ相、Ｗ相に用いるモジュール型整流器Ａ８２Ｖ、Ａ８２Ｗについても同様に、それぞれ正極側アーム（整流素子）Ｖ１と負極側アーム（整流素子）Ｖ２、正極側アーム（整流素子）Ｗ１と負極側アーム（整流素子）Ｗ２を直線状に配置し、かつ入出力端子の位置関係が直線状に配列されるようにして１つにパッケージ化されている。
【００２９】
このように構成されたモジュール型整流器Ａ８２Ｕ、Ａ８２Ｖ、Ａ８２Ｗと、交流励磁機７の回転電機子コイル７ａおよび同期機１の界磁コイル５ｂとの接続は次のようにして行う。すなわち、交流励磁機７の電磯子コイル７ａの各相出力端子Ｕ、ＶおよびＷは、それぞれ各相毎に接続線８５Ｕ、８５Ｖおよび８５Ｗを介して各相のモジュール型整流器Ａ８２Ｕ、Ａ８２Ｖ、Ａ８２Ｗの交流端子である正極側アームＵ１、Ｖ１、Ｗ１と負極側アームＵ２、Ｖ２、Ｗ２の共通接続点ＣＵ、ＣＶ、ＣＷに接続する。
【００３０】
そして、各相のモジュール型整流器Ａ８２Ｕ、Ａ８２Ｖ、Ａ８２Ｗの直流端子のうち、正極側の出力端子同士を短絡板Ａ８６Ｐで相互に接続し、負極側の出力端子同士を短絡板Ａ８６Ｎで相互に接続する。なお、これらの短絡板Ａ８６Ｐ、Ａ８６Ｎは、回転軸４の周面に沿う形状の平板に形状され、しかも、自身に作用する遠心力を低減できるように、銅板あるいはアルミニュウム板により構成され、銅線を絶縁物で覆うようにした通常のケーブルよりも軽量に構成されている。
【００３１】
正極側短絡板Ａ８６Ｐは接続線８５Ｊを介して界磁コイル５ｂのＪ（＋）端子に接続され、一方、負極側短絡板Ａ８６Ｎは接続線８５Ｋを介して界磁コイル５ｂのＫ（−）端子に接続される。
【００３２】
このようにして回転整流器Ａ８の電気接続を行った後に接続線Ａ８５Ｕ、Ａ８５ＶおよびＡ８５Ｗをガラスレジンテープ（またはガラスレジン糸）１２で回転軸４上に緊縛し、接続線Ａ８５ＪおよびＡ８５Ｋをガラスレジンテープ（またはガラスレジン糸）１３で回転軸４上に緊縛し、レジンを硬化させて固定する。この状態を示したものが図１（ｂ）である。
【００３３】
このように構成された同期機１の冷却は原動機によって駆動される回転軸４にファンボス１１を介して取り付けられた遠心ファン１０の回転によって、交流励磁機７側の吸気口１４から吸い込まれた冷却風が矢印の如く固定子枠２内を流れ、排気口１５から放射状に排出されることによって行われるのであるが、本実施形態の場合、従来技術で必要であった円板状の整流器フランジ８３を排除してモジュール型整流器Ａ８２Ｕ、Ａ８２Ｖ、Ａ８２Ｗを回転軸４に直に固定するようにしたため、吸気口１４から吸い込まれた冷却風は、通風路を阻害されることなく同期機１の回転子５側に流入する。この結果、固定子３および回転子５の鉄心およびコイルが効果的に冷却される。
【００３４】
以上述べたように、第１の実施形態によれば、従来装置の構成部品である整流子胴８１および円板状の整流器フランジ８３を排除し、その代わりに入出力端子の位置関係が直線状に配列してなるモジュール型整流器Ａ８２Ｕ、Ａ８２Ｖ、Ａ８２Ｗを回転軸４に直付けするように構成したので、回転軸４の周面からモジュール型整流器までの高さを低くすることができ、従来の回転整流器８のような冷却通風路を狭める部品が無くなって、回転子側に冷却風を誘導する通風路が形成できる。この結果、界磁コイル５ｂのみならず、固定子巻線やその他の機内部品の冷却性能を向上させることができる。
【００３５】
また、交流励磁機７の回転電機子コイル７ａと同期機１の界磁コイル５ｂ間に設置されたモジュール型整流器Ａ８２Ｕ、Ａ８２Ｖ、Ａ８２Ｗは、回転軸４の表面に対して軸方向に平行配置したので、モジュール型整流器Ａ８２Ｕ、Ａ８２Ｖ、Ａ８２Ｗは回転軸４と共に回転することによりファン効果が付加され界磁コイル５ｂへの冷却効果を増すことができる。
【００３６】
さらに、本実施形態によれば、回転軸４の回転により短絡板Ａ８６Ｐ、Ａ８６Ｎに働く遠心力が接続部にかかるものの、短絡板Ａ８６Ｐ、Ａ８６Ｎは銅線を絶縁物で覆うようにした通常のケーブルで接続するよりも軽量に構成してあるため、接続部にかかる応力を低減することが可能となる。また、短絡板Ａ８６Ｐ、Ａ８６Ｎのフィン効果によりモジュール型整流器Ａ８２Ｕ、Ａ８２Ｖ、Ａ８２Ｗを効率的に冷却することが可能となる。
【００３７】
（第２の実施形態）    
次に、本発明の第２の実施形態について説明する。  
図４は本発明の第２の実施形態に係る回転整流器Ａ８の拡大斜視図である。  
本実施形態と第１の実施形態との違いは、正極側短絡板Ａ８６Ｐおよび負極側短絡板Ａ８６Ｎを図１（ｂ）および図２（ｂ）に示す回転軸の周面に沿う平板形状から、図４に示す円環状に変更したものである。
【００３８】
なお、この円環状の正極側短絡板Ａ８６Ｐおよび負極側短絡板Ａ８６Ｎが、従来の整流器フランジ８１のように冷却風の通風路を狭めることが無いように、ほぼＬ次状の取り付け脚Ｌを内周側に設け、この取り付け脚Ｌによってモジュール型整流器Ａ８２Ｕ、Ａ８２Ｖ、Ａ８２Ｗの正極側直流端子、負極側直流端子に取り付けるように工夫されている。従って、冷却風は回転軸４の表面と、円環状の正極側短絡板Ａ８６Ｐおよび負極側短絡板Ａ８６Ｎとの間を矢印Ｘのように通り抜けることができる。
【００３９】
なお、図４の構成例では、モジュール型整流器Ａ８２Ｕ、Ａ８２Ｖ、Ａ８２Ｗを各相毎に２個並列接続した状態を示すものであり、モジュール型整流器Ａ８２Ｕは２個見えるが、モジュール型整流器Ａ８２Ｖ、Ａ８２Ｗについては、２個目が回転軸４の陰に隠れる位置にあるため、表していない。
【００４０】
以上述べたように、第２の実施形態によれば、第１の実施形態の奏する作用効果に加えて、モジュール型整流器Ａ８２Ｕ、Ａ８２Ｖ、Ａ８２Ｗの直流端子の同極性同士を接続する短絡板Ａ８６Ｐ、Ａ８６Ｎを円環状に形成したので、回転軸４の回転により短絡板Ａ８６Ｐ、Ａ８６Ｎに遠心力が働いても円環のフープ力で遠心力を受け、取り付け部にかかる応力を低減することができる。また円環状の短絡板Ａ８６Ｐ、Ａ８６Ｎのフィン効果によりモジュール型整流器Ａ８２Ｕ、Ａ８２Ｖ、Ａ８２Ｗを効率的に冷却することが可能となる。
【００４１】
（第３の実施形態）  
次に、本発明の第３の実施形態について説明する。  
図５は本発明の第３の実施形態に係る回転整流器Ａ８を示す図であり、特に、図５（ａ）は回転整流器Ａ８の拡大図、図５（ｂ）は図５（ａ）のＹ方向から見た側面図、図５（ｃ）は比較例として示したもので、前述の図２（ａ）をＸ方向から見た側面図である。
【００４２】
本実施形態と第１の実施形態とは、回転軸４へのモジュール型整流器Ａ８２Ｕ、Ａ８２Ｖ、Ａ８２Ｗの取り付け方向が異なっている。すなわち、図２（ａ）の場合、モジュール型整流器Ａ８２Ｕ、Ａ８２Ｖ、Ａ８２Ｗを回転軸４の円周方向に適宜間隔をあけて並置したが、本実施形態の場合は、図５（ａ）に示すように各相のモジュール型整流器Ａ８２Ｕ、Ａ８２Ｖ、Ａ８２Ｗを回転軸４の軸方向に適宜間隔をあけてしかも入出力端子の配列方向が回転軸方向に対して直角になるように直付けした点が構成上異なっている。その他の点は、第１の実施形態の場合と同じであるので説明を省略する。
【００４３】
比較例として挙げた第１の実施形態の場合は、回転軸４の円周方向に所定の間隔をあけてモジュール型整流器Ａ８２Ｕ、Ａ８２Ｖ、Ａ８２Ｗを並置したため、図５（ｃ）で示すようにモジュール整流素子Ａ８２Ｕ、Ａ８２Ｖ、Ａ８２Ｗの回転遅れ側の側面には冷却風が当たらないか、当たったとしても進み側よりも格段に少ないので、各モジュール整流素子Ａ８２Ｕ、Ａ８２Ｖ、Ａ８２Ｗ内の整流素子Ｕ１、Ｕ２、・・・、Ｗ３を均一に冷却することが難しいが、本実施形態の場合、各相のモジュール型整流器Ａ８２Ｕ、Ａ８２Ｖ、Ａ８２Ｗを回転軸４の軸方向に適宜間隔をあけてしかも入出力端子の配列方向が回転軸方向に対して直角になるように直付けしたことにより、図５（ｂ）の通り回転軸４の回転による冷却風をモジュール型整流器Ａ８２Ｕ、Ａ８２Ｖ、Ａ８２Ｗの両側面にほぼ均一に当てることが可能となる。
【００４４】
この結果、第３の実施形態によれば、第１の実施形態が奏する作用効果に加えて、回転軸４の回転による冷却風とモジュール型整流器Ａ８２Ｕ、Ａ８２Ｖ、Ａ８２Ｗとの接触面積が大きくなるため、モジュール型整流器Ａ８２Ｕ、Ａ８２Ｖ、Ａ８２Ｗを効率的に冷却することが可能となり、素子の温度上昇を抑えることができる。
【００４５】
（第４の実施形態）
次に、本発明の第４の実施形態について説明する。  
図６は本発明の第４の実施形態に係る回転整流器８Ａを示す拡大図である。  
第４の実施形態に係る回転整流器Ａ８は、モジュール型整流器Ａ８２Ｕ、Ａ８２Ｖ、Ａ８２Ｗを回転軸４の軸方向に対し傾斜させて直付けしたことを特徴とするものである。
【００４６】
第４の実施形態によれば、回転軸４の外周面に各相のモジュール型整流器Ａ８２Ｕ、Ａ８２Ｖ、Ａ８２Ｗを回転軸４の軸方向に適宜間隔をあけてしかも、軸方向に対して傾斜させて設置したため、第１の実施形態が奏する作用効果に加えて、モジュール型整流器Ａ８２Ｕ、Ａ８２Ｖ、Ａ８２Ｗの回転によるファン効果により界磁コイル５ｂへ流入する冷却風を形成できるため、界磁コイル５ｂへの冷却効果を増すことができる。
【００４７】
（変形例）
（１）以上述べた第１ないし第４の実施形態では、図３のブリッジ形三相整流回路において、正極側アーム（整流素子）Ｕ１、Ｖ１、Ｗ１と、負極側アーム（整流素子）Ｕ２、Ｖ２、Ｗ２とを各相単位で１つのパッケージとしてモジュール化したものをモジュール型整流器として定義したが、本発明はこれに限定されるものではなく、従来例の図９の回路で示した三相半波整流回路で構成してもよい。すなわち、前記モジュール型整流器は、三相半波整流回路を構成するために交流励磁機の回転電機子コイルの各相に接続される整流素子をモジュール化したものであってもよい。
【００４８】
（２）また、モジュール型整流器Ａ８２Ｕ、Ａ８２Ｖ、Ａ８２Ｗを回転軸４に直付けせずに、予め筒状の中間部材に取り付けておき、この筒状の中間部材を交流励磁機の回転電機子が回転軸に嵌合される前に嵌合固定するようにしてもよい。
【図面の簡単な説明】
【００４９】
【図１】本発明の第１の実施形態によるブラシレス励磁装置を備えた同期機を示す図であり、（ａ）はブラシレス励磁装置を備えた同期機全体の上部半裁図、（ｂ）は回転整流器の拡大斜視図。
【図２】本発明の第１実施形態に係る回転整流器の拡大斜視図であり、（ａ）はモジュール型整流器の取り付け状態を示す図、（ｂ）はモジュール型整流器間の直流端子の接続例を示す図。
【図３】モジュール型整流器各相間の接続状態を示す回路図。
【図４】本発明の第２実施形態に係る回転整流器の拡大斜視図。
【図５】本発明の第３実施形態に係る回転整流器を示す図であり、（ａ）は回転整流器の拡大斜視図、（ｂ）は図５（ａ）をＹ方向から見た側面図、（ｃ）は比較例図。
【図６】本発明の第４実施形態に係る回転整流器の拡大斜視図。
【図７】従来のブラシレス励磁装置を備えた同期機の上部半裁図。
【図８】従来の回転整流器の拡大斜視図。
【図９】従来のブラシレス励磁装置の回路図。
【符号の説明】
【００５０】
１…同期機（主機）、２…固定子枠、３…固定子、４…回転軸、５…回転子、５ａ…突極形界磁鉄心、５ｂ…界磁コイル、６…ブラシレス励磁装置、７…交流励磁機、７ａ…回転電機子コイル、Ａ８…回転整流器、Ａ８２Ｕ、Ａ８２Ｖ、Ａ８２Ｗ…モジュール型整流器、Ａ８６Ｐ、Ａ８６Ｎ…短絡板、９…軸受、１０…ファン、１１…ファンボス、１４…吸気口、１５…排気口。
【図１】
2010098789.tif 000003
【図２】
2010098789.tif 000004
【図３】
2010098789.tif 000005
【図４】
2010098789.tif 000006
【図５】
2010098789.tif 000007
【図６】
2010098789.tif 000008
【図７】
2010098789.tif 000009
【図８】
2010098789.tif 000010
【図９】
2010098789.tif 000011